(57)【要約】【課題】コンタクトが狭ピッチであっても、インシュレータにおける各コンタクトの組込み後の接点高さ寸法の精度を向上し、各コンタクトと相手側コネクタの各コンタクトとが確実にかつ適切な圧力で接続できるコネクタ及びその組立方法を提供する。【解決手段】コンタクト３をその接触部３ａ側からインシュレータ２のコンタクト収容部２ａ内に仮挿入する。この際、圧入部３ｃは、コンタクト収容部内に挿入されていない。この後、補助インシュレータ４を組込み孔２ｂに矢印方向に組込む。すると、コンタクトの連結部３ｂは、コンタクト収容部の壁に押し付けられる。次に、コンタクトの姿勢が安定した状態で、被押圧部３ｄを矢印方向に治具によって押圧する。すると、コンタクトは、コンタクト収容部内に圧入される。このとき、インシュレータの所定の位置からコンタクトの接触部３ａの接点３ａ１までの寸法、すなわち、接点高さ寸法Ｌは、略一定となり、安定する。【選択図】      図４
2004152640.tif 000002
【特許請求の範囲】
【請求項１】
複数のコンタクトと前記各コンタクトを保持固定するインシュレータとを有するコネクタにおいて、
前記コネクタは、補助インシュレータを更に有し、
前記各コンタクトは、相手側コネクタの各コンタクトと接続する接触部と、前記インシュレータへの圧入部と、前記接触部と前記圧入部とを連結する連結部と、端子部とを有し、
前記インシュレータは、前記各コンタクトをそれぞれ収容する複数のコンタクト収容部を有し、
前記補助インシュレータを前記インシュレータに組込むことによって、前記各コンタクトの圧入部又は連結部の少なくとも一方が前記各コンタクト収容部の壁に押し付けられ、前記各コンタクトが前記インシュレータに保持固定されることを特徴とするコネクタ。
【請求項２】
複数のコンタクトと前記各コンタクトを保持固定するインシュレータとを有するコネクタにおいて、
前記コネクタは、補助インシュレータを更に有し、
前記各コンタクトは、相手側コネクタの各コンタクトと接続する接触部と、前記インシュレータへの圧入部と、前記接触部と前記圧入部とを連結する連結部と、端子部とを有し、
前記インシュレータは、前記各コンタクトをそれぞれ収容する複数のコンタクト収容部を有し、
前記補助インシュレータを前記インシュレータに組込むことによって、前記各コンタクトの圧入部又は連結部の少なくとも一方が前記各コンタクト収容部の壁に押し付けられた状態で、前記各コンタクトを前記コンタクト収容部に圧入し、保持固定することを特徴とするコネクタの組立方法。
【発明の詳細な説明】
【０００１】
【発明の属する技術分野】
本発明は、インシュレータにおけるコンタクトの接点位置が安定するコネクタ及びその組立方法に関する。
【０００２】
【従来の技術】
従来の通常ピッチのコネクタと狭ピッチのコネクタについて説明する。
【０００３】
まず、通常ピッチのコネクタについて図６を参照して説明する。
【０００４】
通常ピッチのコネクタ２１は、インシュレータ２２と、インシュレータ２２に形成された多数の断面略Ｔ字型のコンタクト収容部２２ａ内にそれぞれ保持される多数のコンタクト２３と、インシュレータ２２を被覆する金属製のシェル２４とから構成される。
【０００５】
各コンタクト２３は、接触部２３ａと、連結部２３ｂと、圧入部２３ｃと、被押圧部２３ｄと、端子部２３ｅとから一体に連続して構成される。被押圧部２３ｄは、圧入部２３ｃと端子部２３ｅとを直角に連結する。
【０００６】
図６（Ａ）と（Ｃ）に示されるように、コネクタ２１を、一例として、コンタクト２３のピッチＰ＝０．７ｍｍ、インシュレータ２２のコンタクト収容部２２ａに対するコンタクト２３の引っ掛り量（片側）Ｐ１＝０．１２５ｍｍ、接触部２３ａが収容されるコンタクト収容部２２ａの部分の必要幅Ｐ２＝０．２５ｍｍ、コンタクト２３において最大幅を有する連結部２３ｂ同士の間隔（必要肉厚）Ｐ３＝０．２ｍｍに、それぞれ設定する。
【０００７】
すると、引っ掛り量Ｐ１が大きいため、コネクタ２１の組立後、インシュレータ２２の所定の位置からコンタクト２３の接触部２３ａの接点（相手側コネクタのコンタクトの接点と接続する。）２３ａ１までの寸法（以下「接点高さ寸法」という。）Ｌは、図６（Ｂ）に示されるように、略一定となり、安定する。
【０００８】
次に、狭ピッチのコネクタについて図７を参照して説明する。狭ピッチのコネクタについては、通常ピッチのコネクタと同様の点の説明を省略し、相違する点の説明のみを行う。
【０００９】
図７（Ａ）と（Ｄ）に示されるように、コネクタ３１を、一例として、コンタクト３３のピッチＰ＝０．５ｍｍ、インシュレータ３２のコンタクト収容部３２ａに対するコンタクト３３の引っ掛り量（片側）Ｐ１＝０．０２５ｍｍ、接触部３３ａが収容されるコンタクト収容部３２ａの部分の必要幅Ｐ２＝０．２５ｍｍ、コンタクト３３において最大幅を有する連結部３３ｂ同士の間隔（必要肉厚）Ｐ３＝０．２ｍｍに、それぞれ設定する。
【００１０】
すると、引っ掛り量Ｐ１が小さいため、図７（Ｂ）に示されるコンタクト３３の被押圧部３３ｄを押圧すると、図７（Ｃ）の状態に至る。このとき、接点高さ寸法Ｌは、略一定とならず、不安定である。
【００１１】
この種の狭ピッチのコネクタは、多数提案されている（例えば、特許文献１参照。）。
【００１２】
【特許文献１】
特開平８−２５０２３２号公報
【００１３】
【発明が解決しようとする課題】
そこで、本発明は、前記従来の狭ピッチのコネクタの欠点を改良し、コンタクトが狭ピッチであっても、インシュレータにおける各コンタクトの組込み後の接点高さ寸法の精度を向上し、各コンタクトと相手側コネクタの各コンタクトとが確実にかつ適切な圧力で接続することができるコネクタ及びその組立方法を提供しようとするものである。
【００１４】
【課題を解決するための手段】
本発明は、前記課題を解決するため、次の手段を採用する。
【００１５】
１．複数のコンタクトと前記各コンタクトを保持固定するインシュレータとを有するコネクタにおいて、前記コネクタは、補助インシュレータを更に有し、前記各コンタクトは、相手側コネクタの各コンタクトと接続する接触部と、前記インシュレータへの圧入部と、前記接触部と前記圧入部とを連結する連結部と、端子部とを有し、前記インシュレータは、前記各コンタクトをそれぞれ収容する複数のコンタクト収容部を有し、前記補助インシュレータを前記インシュレータに組込むことによって、前記各コンタクトの圧入部又は連結部の少なくとも一方が前記各コンタクト収容部の壁に押し付けられ、前記各コンタクトが前記インシュレータに保持固定されるコネクタ。
【００１６】
２．複数のコンタクトと前記各コンタクトを保持固定するインシュレータとを有するコネクタにおいて、前記コネクタは、補助インシュレータを更に有し、前記各コンタクトは、相手側コネクタの各コンタクトと接続する接触部と、前記インシュレータへの圧入部と、前記接触部と前記圧入部とを連結する連結部と、端子部とを有し、前記インシュレータは、前記各コンタクトをそれぞれ収容する複数のコンタクト収容部を有し、前記補助インシュレータを前記インシュレータに組込むことによって、前記各コンタクトの圧入部又は連結部の少なくとも一方が前記各コンタクト収容部の壁に押し付けられた状態で、前記各コンタクトを前記コンタクト収容部に圧入し、保持固定するコネクタの組立方法。
【００１７】
【発明の実施の形態】
本発明の一実施の形態例のクレイドルコネクタ及びその組立方法と、このクレイドルコネクタが嵌合するレセプタクルコネクタについて図１〜図５を参照して説明する。
【００１８】
図１は、クレイドルコネクタ１の諸図であり、（Ａ）は嵌合側から見た斜視図、（Ｂ）は実装側から見た斜視図、（Ｃ）は分解斜視図を、それぞれ示す。図２は、レセプタクルコネクタ１１の斜視図である。
【００１９】
図３は、クレイドルコネクタ１の組立工程を示す斜視図である。インシュレータ２に、まず、一定のピッチで配列された多数のコンタクト３を矢印方向に仮挿入し、次に、直方体形状の補助インシュレータ４を矢印方向に組込む。詳細は、図４を参照して後述する。なお、インシュレータ２は、シェル５によって被覆されている。
【００２０】
図４（Ａ）〜（Ｃ）は、クレイドルコネクタ１の組立工程を順次示す断面図である。各コンタクト３は、接触部３ａと、連結部３ｂと、圧入部３ｃと、被押圧部３ｄと、端子部３ｅとから一体に連続して構成される。被押圧部３ｄは、圧入部３ｃと端子部３ｅとを直角に連結する。インシュレータ２における中央の左右方向には、多数のコンタクト収容部２ａが形成され、また、インシュレータ２の下面からコンタクト収容部２ａまで貫通する補助インシュレータ４用の組込み孔２ｂが形成される。
【００２１】
インシュレータ２への各コンタクト３の組込み方法を説明する。まず、図４（Ａ）に示されるように、各コンタクト３をその接触部３ａ側からインシュレータ２のコンタクト収容部２ａ内に仮挿入する。ただし、この際、コンタクト３の圧入部３ｃは、コンタクト収容部２ａ内に挿入されていない。この後、補助インシュレータ４をインシュレータ２の組込み孔２ｂに矢印方向に組込む。すると、コンタクト３の連結部３ｂは、補助インシュレータ４によってコンタクト収容部２ａの壁に押し付けられる。なお、コンタクト収容部２ａの壁に押し付けられるコンタクト３の部分は、連結部３ｂ又は圧入部３ｃの少なくとも一方であれば、所期の目的は達成される。
【００２２】
次に、図４（Ｂ）に示されるように、各コンタクト３の姿勢が安定した状態で、被押圧部３ｄを矢印方向に治具（図示せず）によって押圧する。
【００２３】
すると、各コンタクト３は、図４（Ｃ）に示される位置まで、コンタクト収容部２ａ内に圧入される。このとき、インシュレータ２の所定の位置からコンタクト３の接触部３ａの接点（レセプタクルコネクタ１１のコンタクトの接点と接続する。）３ａ１までの寸法、すなわち、接点高さ寸法Ｌは、略一定となり、安定する。
【００２４】
クレイドルコネクタ１とレセプタクルコネクタ１１の使用状態について、図５を参照して説明する。
【００２５】
受け台６は、図５の左側図に示されるように、基礎部６ａと、傾斜部６ｂと、段部６ｃとから構成され、段部６ｃにクレイドルコネクタ１（仮想図で示す。）が設置されている。
【００２６】
携帯型情報端末（ＰＤＡ）１２は、図５の中央図に示されるように、直方体形状に構成され、下部にレセプタクルコネクタ１１（仮想図で示す。）が設置されている。
【００２７】
携帯型情報端末１２を受け台６の傾斜部６ｂに平行に下方にスライドさせると、レセプタクルコネクタ１１がクレイドルコネクタ１と嵌合し、携帯型情報端末１２は図５の右側図の状態に至る。
【００２８】
【発明の効果】
以上の説明から明らかなように、本発明によれば、次の効果が奏される。
【００２９】
１．狭ピッチのコネクタにおいても、各コンタクトの接点高さ寸法が、略一定となり、安定するので、各コンタクトの接点は、相手側コネクタの各コンタクトの接点と確実にかつ適切な圧力で接続する。
【００３０】
２．本発明は、従来のコネクタに補助インシュレータを採用するという簡素な手段であるので、部品点数が少なく、構造が簡単で、組立工程が簡便で、しかも、コストが安価である。
【図面の簡単な説明】
【図１】本発明の一実施の形態例のクレイドルコネクタの諸斜視図であり、（Ａ）は嵌合側から見た状態、（Ｂ）は実装側から見た状態、（Ｃ）は分解状態を、それぞれ示す。
【図２】同クレイドルコネクタと嵌合するレセプタクルコネクタの斜視図である。
【図３】同クレイドルコネクタの組立工程を示す斜視図である。
【図４】同クレイドルコネクタの組立工程の断面図であり、順次（Ａ）〜（Ｃ）に示す。
【図５】同クレイドルコネクタと同レセプタクルコネクタの使用状態を示す斜視図である。
【図６】従来の通常ピッチのコネクタの諸図であり、（Ａ）は背面図、（Ｂ）は（Ａ）における線Ａ−Ａによる断面図、（Ｃ）は（Ｂ）における線Ｂ−Ｂによる拡大断面図を、それぞれ示す。
【図７】従来の狭ピッチのコネクタの諸図であり、（Ａ）は背面図、（Ｂ）は（Ａ）における線Ａ−Ａによる圧入前の断面図、（Ｃ）は（Ａ）における線Ａ−Ａによる圧入後の断面図、（Ｄ）は（Ｃ）における線Ｂ−Ｂによる拡大断面図を、それぞれ示す。
【符号の説明】
１    クレイドルコネクタ
２    インシュレータ
２ａ    コンタクト収容部
２ｂ    組込み孔
３    コンタクト
３ａ    接点部
３ａ１    接点
３ｂ    連結部
３ｃ    圧入部
３ｄ    被押圧部
３ｅ    端子部
４    補助インシュレータ
５    シェル
６    受け台
６ａ    基礎部
６ｂ    傾斜部
６ｃ    段部
１１    レセプタクルコネクタ
１２    携帯型情報端末（ＰＤＡ）
【図１】
2004152640.tif 000003
【図２】
2004152640.tif 000004
【図３】
2004152640.tif 000005
【図４】
2004152640.tif 000006
【図５】
2004152640.tif 000007
【図６】
2004152640.tif 000008
【図７】
2004152640.tif 000009